(57)【要約】      （修正有）【課題】画像形成装置に接続されたオプション機器が他機種用のものかを認識し、オプション機器の設定を自動的に行い、機能を制限することも可能な画像形成装置又はオプション機器を提供する。【解決手段】機能追加等のためオプション機器が接続された画像形成装置において、装置本体の動作を制御するメインＣＰＵ１０等と、オプション機器には、オプション機器の動作を制御するＦＡＸＣＰＵ２０等と、オプション機器の制御プログラムが格納されるＲＯＭ等と、オプション機器の接続対象となる装置の機種、及び、オプション機器が実現する機能の情報を含む機種情報を記憶するＩＣチップ２９とが備えられ、ＩＣチップ２９は、メインＣＰＵ１０等に向け機種情報を送信し、メインＣＰＵ１０等は、受信した機種情報に基づき装置で使用できる機能の設定を行う。【選択図】図３
2009088763.tif 000002
【特許請求の範囲】
【請求項１】
機能追加又は拡張のためのオプション機器が接続された画像形成装置において、
装置本体側には、装置本体の動作を制御する本体制御部が備えられ、
前記オプション機器には、
前記本体制御部と通信可能であるとともに、前記オプション機器の動作を制御するオプション制御部と、
前記オプション機器の動作を制御するための複数のプログラムが格納されるオプション記憶部と、
前記オプション機器の接続対象となる装置の機種、及び、前記オプション機器が実現する機能の情報を含む機種情報を記憶し、前記本体制御部及び前記オプション制御部と通信可能である機種情報制御部とが備えられ、
前記機種情報制御部は、前記本体制御部に向け前記機種情報を送信し、
前記本体制御部は、受信した前記機種情報に基づき、装置で使用できる機能の設定を行うことを特徴とする画像形成装置。
【請求項２】
前記本体制御部は、受信した前記機種情報に基づき、接続された前記オプション機器が他機種用のものかどうかを判断し、他機種用のオプション機器が接続されていると判断した場合、使用できる機能を制限することを特徴とする請求項１記載の画像形成装置。
【請求項３】
装置の操作、入力を行うための操作入力部を有し、
前記本体制御部は、他機種用のオプション機器が接続されていると判断した場合、制限した機能についての前記操作入力部への操作、入力を受け付けないことを特徴とする請求項２記載の画像形成装置。
【請求項４】
前記オプション制御部は、前記本体制御部から機能の設定情報を受け取り、前記設定情報に対応させて使用するプログラムを選択することを特徴とする請求項１乃至３のいずれか１項に記載の画像形成装置。
【請求項５】
前記機種情報制御部は、前記本体制御部に前記機種情報を送信する場合、前記オプション記憶部に記憶されるプログラムを確認し、そのプログラムで実現される機能が前記機種情報と対応するか否かを照合し、照合結果を前記機種情報とともに前記本体制御部に送信することを特徴とする請求項１乃至４のいずれか１項に記載の画像形成装置。
【請求項６】
前記機種情報制御部は、前記本体制御部に向けて前記機種情報を送信する場合、前記機種情報に暗号化を施すことを特徴とする請求項１乃至５のいずれか１項に記載の画像形成装置。
【請求項７】
前記オプション機器は、装置からファクシミリ通信を行うためのＦＡＸボードであることを特徴とする請求項１乃至６のいずれか１項に記載の画像形成装置。
【請求項８】
前記機種情報制御部は、前記ＦＡＸボードによりファクシミリ通信可能な国又は地域を示す情報、及び、各国又は各地域での前記ＦＡＸボードの設定情報を含む地域設定情報を前記機種情報として記憶し、
前記本体制御部は、前記オプション制御部に向けて、画像形成装置を使用する国又は地域を示す使用地域情報を送信可能であって、
前記オプション制御部は、前記本体制御部から前記使用地域情報を受けた場合、前記機種情報制御部から前記地域設定情報を受け取り、前記ＦＡＸボードの設定を自動で行うことを特徴とする請求項７記載の画像形成装置。
【請求項９】
前記本体制御部が、接続対象でないＦＡＸボードが接続されていると判断した場合、
前記本体制御部及び／又は前記オプション制御部は、ＦＡＸ通信機能を使用不可とすることを特徴とする請求項７又は８記載の画像形成装置。
【請求項１０】
機能追加又は拡張のため画像形成装置に接続されるオプション機器において、
前記オプション機器の動作を制御するオプション制御部と、
前記オプション機器の動作を制御するための複数のプログラムが格納されるオプション記憶部と、
前記オプション機器の接続対象となる装置の機種、及び、前記オプション機器が実現する機能の情報を含む機種情報を記憶する機種情報制御部とが備えられ、
前記機種情報制御部は、受信した機種情報に基づき、画像形成装置で使用できる機能の設定を行うことができるように、画像形成装置の制御部に向けて機種情報を送信することを特徴とするオプション機器。
【発明の詳細な説明】
【技術分野】
【０００１】
本発明は、機能追加又は拡張のため、オプション機器を接続可能な画像形成装置に関する。又、画像形成装置に接続されるオプション機器に関する。
【背景技術】
【０００２】
従来から、複写機、複合機、プリンタ等の各種画像形成装置では、画像形成装置の機能を拡張、追加するために接続される各種のオプション機器が用意されている。例えば、画像形成装置でＦＡＸ通信を行えるようにするためのＦＡＸボード（基板）や、各種コネクタが実装されネットワーク通信を行えるようにするためのネットワークボードや、画像形成済みのシートに対して処理を施すための後処理装置や、複数枚の原稿をセットして自動的に連続読み取りを行うための原稿自動送り装置など、多種多様なオプション機器が存在する。
【０００３】
このような、オプション機器を接続可能な画像形成装置の一例が特許文献１に記載されている。具体的に、特許文献１には、ＡＣ電源ラインと、ＡＣ電源をＤＣ電源に変換するＡＣ／ＤＣコンバータとを備え、装置本体に対して少なくとも１つのオプション機器を接続することが可能な画像形成装置が記載されている（特許文献１：請求項１等参照）。
【特許文献１】特開２００６−０４７７７４
【発明の開示】
【発明が解決しようとする課題】
【０００４】
一般に、オプション機器ごとに、接続対象となる画像形成装置の機種は決められる。言い換えると、画像形成装置の各機種で接続可能なオプション機器が指定される。しかし、画像形成装置とオプション機器との接続部分は、規格上、コスト対策等のため、ある程度共通化されている場合があり、他機種用のオプション機器が画像形成装置に接続される場合がある。例えば、ＦＡＸボードやネットワークボードは、他機種用のものを画像形成装置の基板に設けられるソケットに差し込んで接続可能な場合がある。
【０００５】
このような誤ったオプション機器の接続は、使用者が、前の使用機種のオプション機器を現在の使用機種でも使えると思い接続してしまう場合や、使用機種用のオプション機器であると勘違いして他機種用のオプション機器を購入し、接続してしまう場合などになされる。ＦＡＸボードを例にとれば、他機種用のＦＡＸボードが接続された場合、オプション機器は全く使用できないか、又は、各ＦＡＸボードの基本的なハード構成はほぼ同じであることがあるため、一部の機能は使用可能な状態となる場合もあり得る。
【０００６】
更に、オプション機器に記憶される制御用プログラムを書き換えて、他機種用のオプション機器を別の機種で使用可能として、販売、使用等する悪意のケースも存在する。この場合、オプション機器が正常に動作する場合があり、例えば、高価格のオプション機器でのみ実現される機能が、低価格の下位機種用のオプション機器で実現されることや、旧機種用のオプション機器を悪用して低価格で販売する事態も生じ得る。
【０００７】
このように、他機種用のオプション機器が接続された場合、使用者が善意の場合は、オプション機器が十分に使用できない状態となり、使用者が悪意の場合は、少なくとも、プロテクトをかけ、オプション機器の機能を制限する必要があるという問題がある。即ち、画像形成装置は、接続されたオプション機器が他の機種用のオプション機器であるか否か及びオプション機器が有する機能を確実に認識し、かつ、オプション機器の設定を自動的に行って、場合によっては、オプション機器により実現される機能を制限する必要があるという問題がある。
【０００８】
尚、上記特許文献１には、オプション機器を接続可能な画像形成装置が記載されているものの、他機種用のオプション機器が画像形成装置に接続される問題についての言及はなく、上記課題を解決することはできない。
【０００９】
本発明は、上記従来技術の問題点に鑑みてなされたものであり、画像形成装置に接続されたオプション機器が他機種用のものであるか、そして、有する機能を確実に認識し、更に、オプション機器の設定を自動的に行って、場合によっては、その機能を制限することが可能な画像形成装置又はオプション機器を提供することを課題とする。
【課題を解決するための手段】
【００１０】
上記課題を解決するため請求項１に係る発明は、機能追加又は拡張のためのオプション機器が接続された画像形成装置において、装置本体側には、装置本体の動作を制御する本体制御部が備えられ、前記オプション機器には、前記本体制御部と通信可能であるとともに、前記オプション機器の動作を制御するオプション制御部と、前記オプション機器の動作を制御するための複数のプログラムが格納されるオプション記憶部と、前記オプション機器の接続対象となる装置の機種、及び、前記オプション機器が実現する機能の情報を含む機種情報を記憶し、前記本体制御部及び前記オプション制御部と通信可能である機種情報制御部とが備えられ、前記機種情報制御部は、前記本体制御部に向け前記機種情報を送信し、前記本体制御部は、受信した前記機種情報に基づき、装置で使用できる機能の設定を行うこととした。
【００１１】
この構成によれば、オプション機器は、オプション機器が対応する画像形成装置の機種や実現する機能の情報である機種情報を記憶し、本体側制御部と通信を行う機種情報制御部を有するから、機種情報制御部から画像形成装置の本体に向けて機種情報を送信することで、接続されたオプション機器が、その画像形成装置用のものかを容易に認識することができる。又、機種情報にはオプション機器の実現する機能情報も含まれるから、機種情報に基づき、画像形成装置で使用できる機能の設定を自動で行うことができる。更に、オプション機器を制御するためのプログラムとは別に、機種情報が記憶されるから、オプション記憶部の書換、交換等によって他機種用のオプション機器を画像形成装置に使用可能とする行為を防ぐことができる。即ち、プロテクトをかけることができる。
【００１２】
又、請求項２に係る発明は、請求項１記載の画像形成装置において、前記本体制御部は、受信した前記機種情報に基づき、接続された前記オプション機器が他機種用のものかどうかを判断し、他機種用のオプション機器が接続されていると判断した場合、使用できる機能を制限することとした。
【００１３】
この構成によれば、画像形成装置に接続されたオプション機器が、他機種用のものと判断される場合、使用できる機能を制限するから、例えば、必要最低限の機能のみを使用可能とするような制限をかけることが可能となる。具体的には、下位機種用の低価格のオプション機器に改変を加え、上位機種用のオプション機器として使用する行為がなされたとしても、上位機種用のオプション機器でのみ実現される機能の利用を防ぐことができる。又、他機種用のオプション機器を誤って購入した使用者が、そのオプション機器を画像形成装置に接続しても、オプション機器の機能を最低限利用可能とすることができる。
【００１４】
又、請求項３に係る発明は、請求項２記載の画像形成装置において、装置の操作、入力を行うための操作入力部を有し、前記本体制御部は、他機種用のオプション機器が接続されていると判断した場合、制限した機能についての前記操作入力部への操作、入力を受け付けないこととした。
【００１５】
この構成によれば、オプション機器からの機種情報に基づき、オプション機器の機能設定を自動的に行った結果、利用できない機能に対して操作・入力を行えないようにすることができる。尚、本発明は好適な実施形態の１つである。
【００１６】
又、請求項４に係る発明は、請求項１乃至３に記載の画像形成装置において、前記オプション制御部は、前記本体制御部から機能の設定情報を受け取り、前記設定情報に対応させて使用するプログラムを選択することとした。
【００１７】
この構成によれば、機種情報に基づき、本体制御部での機能自動設定の結果をオプション機器側に反映させることができる。即ち、オプション機器側での設定も自動的に行うことができる。
【００１８】
又、請求項５に係る発明は、請求項１乃至４に記載の画像形成装置において、前記機種情報制御部は、前記本体制御部に前記機種情報を送信する場合、前記オプション記憶部に記憶されるプログラムを確認し、そのプログラムで実現される機能が前記機種情報と対応するか否かを照合し、照合結果を前記機種情報とともに前記本体制御部に送信することとした。
【００１９】
この構成によれば、機種情報の正確性を確認することができる。又、制御プログラムが記憶されるオプション記憶部に改変があったことも認識することができる。例えば、オプション記憶部に改変があった場合、オプション機器により実現される機能を全く使用できないという制限もかけることができる。
【００２０】
又、請求項６に係る発明は、請求項１乃至５に記載の画像形成装置において、前記機種情報制御部は、前記本体制御部に向けて前記機種情報を送信する場合、前記機種情報に暗号化を施すこととした。
【００２１】
この構成によれば、機種情報に暗号化を施して、機種情報の送信を行うから、オプション機器に対する改変のための機種情報の解析を困難なものとすることができる。
【００２２】
又、請求項７に係る発明は、請求項１乃至６に記載の画像形成装置において、前記オプション機器は、装置からファクシミリ通信を行うためのＦＡＸボードであることとした。
【００２３】
この構成によれば、オプション機器のうち、ＦＡＸボードは、特に、各機種で基本的なハードウェア構成が共通し（ＦＡＸボードに記憶されるプログラムの内容で価格設定がなされる場合もある。）、装置本体の基板への差込部分も規格上統一されている等の理由により、他のオプション機器よりも他機種用のＦＡＸボードが画像形成装置に比較的接続し易いが、この他機種用のＦＡＸボードの接続に対し、制限をかけることができる。
【００２４】
又、請求項８に係る発明は、請求項７記載の画像形成装置において、前記機種情報制御部は、前記ＦＡＸボードによりファクシミリ通信可能な国又は地域を示す情報、及び、各国又は各地域での前記ＦＡＸボードの設定情報を含む地域設定情報を前記機種情報として１記憶し、前記本体制御部は、前記オプション制御部に向けて、画像形成装置を使用する国又は地域を示す使用地域情報を送信可能であって、前記オプション制御部は、前記本体制御部から前記使用地域情報を受けた場合、前記機種情報制御部から前記地域設定情報を受け取り、前記ＦＡＸボードの設定を自動で行うこととした。
【００２５】
ＦＡＸボードでは、仕向地において、電話線に流れる信号の電力レベルや電圧の仕様など、ファクシミリ通信における各国での規格の違いに対応して、様々な設定を行う必要があるが、この構成によれば、ＦＡＸボードの設定を自動的に行うことができる。
【００２６】
又、請求項９に係る発明は、請求項７又は８記載の画像形成装置において、前記本体制御部が、接続対象でないＦＡＸボードが接続されていると判断した場合、前記本体制御部及び／又は前記オプション制御部は、ＦＡＸ通信機能を使用不可とすることとした。
【００２７】
この構成によれば、場合によっては、不適合なＦＡＸボードでは、各国の規格上に沿った通信を行えない場合があり、このような場合、使用不可とすることができる。
【００２８】
又、請求項１０に係る発明は、機能追加又は拡張のため画像形成装置に接続されるオプション機器において、前記オプション機器の動作を制御するオプション制御部と、前記オプション機器の動作を制御するための複数のプログラムが格納されるオプション記憶部と、前記オプション機器の接続対象となる装置の機種、及び、前記オプション機器が実現する機能の情報を含む機種情報を記憶する機種情報制御部とが備えられ、前記機種情報制御部は、受信した機種情報に基づき、画像形成装置で使用できる機能の設定を行うことができるように、画像形成装置の制御部に向けて機種情報を送信することとした。
【００２９】
この構成によれば、オプション機器は、オプション機器の接続の対象となる画像形成装置や、オプション機器で実現される機能に関する機種情報を本体側制御部に向けて送信可能であり、自動的にオプション機器や画像形成装置の設定や機能制限を行えるオプション機器を提供することができる。又、オプション機器に対する改変にも強く、不正なオプション機器の使用を防止可能なオプション機器を提供することができる。
【発明の効果】
【００３０】
上述したように、本発明によれば、画像形成装置に接続されたオプション機器が、他機種用のものか否かを適切に判断することができ、オプション機器から送信される機種情報に基づき、画像形成装置は、各種の機能設定を同時に行うことができる。又、オプション機器の記憶部に改変加えるような不正な使用にたいし、オプション機器で実現される機能に制限、プロテクトをかけることができる。
【発明を実施するための最良の形態】
【００３１】
以下、本発明の実施形態について図１〜４を参照しつつ説明する。但し、本実施の形態に記載されている構成、配置等の各要素は、発明の範囲を限定するものではなく単なる説明例にすぎない。尚、本発明は、各種画像形成装置、オプション機器に適用可能であるが、画像形成装置は複合機１を、オプション機器はＦＡＸボード２とした場合を一例として説明する。
【００３２】
まず、図１に基づき、複合機１について説明する。図１は、本発明の実施形態に係る複合機１の概略構造を示す模型的正面断面図である。
【００３３】
図１に示すように、本実施形態にかかる複合機１は、上部に原稿自動送り装置３が設けられ、その下部の複合機１本体に、原稿読取部４、画像形成部５、シート供給部６、シート搬送路７を備える。又、破線で示すように、複合機１の正面上部に操作パネル８（操作入力部に相当）が備えられる。尚、原稿自動送り装置３もオプション機器の一種である。
【００３４】
前記原稿読取部４は、原稿を読み取り、読み取った原稿の画像データを形成するものである。原稿読取部４内には、露光ランプ、反射板、ミラー、レンズ、ＣＣＤセンサ（不図示）等が設けられ、光学的に原稿を走査し、画像データを生成する。又、原稿読取部４の上面にはコンタクトガラス４１が設けられ、原稿読取部４は、載置読取用コンタクトガラス４１ａ上に載置される原稿や、原稿自動送り装置３により自動原稿送り用コンタクトガラス４１ｂを接するようにして搬送される原稿を読み取り、画像データを生成する。
【００３５】
前記原稿自動送り装置３は、原稿読取部４に向け自動かつ連続的に原稿を搬送する。原稿自動送り装置３は、原稿載置トレイ３１上の原稿を１枚ずつ原稿ピックアップローラ３２により、原稿搬送路３３に送り出す。そして、複数の原稿搬送ローラ対３４は原稿を自動原稿送り用コンタクトガラス４１ｂに接するように搬送する。尚、原稿自動送り装置３は、紙面奥側において支点が設けられ、上方に持ち上げ可能であり、例えば書籍等の原稿を載置読取用コンタクトガラス４１ａに載せて、１枚ずつ原稿の読み取りが可能である。
【００３６】
前記画像形成部５は、シート搬送路７よって搬送されてきたシートに対して所定の画像形成を行うものである。画像形成部５は、主として、画像形成ユニット５１及び画像形成ユニット５１のシート搬送方向下流側に設けられる定着部５８を備える。
【００３７】
前記画像形成ユニット５１は、図１中に示す矢印方向に回転可能に支持された感光体ドラム５２、感光体ドラム５２の周囲に配設された帯電部５３、現像部５４、レーザ走査ユニット５５、転写ローラ５６、クリーニング部５７を備える。
【００３８】
前記感光体ドラム５２は、画像形成ユニット５１の中心に設けられ、所定方向に回転駆動される。帯電部５３は、感光体ドラム５２の上方に設けられ、感光体ドラム５２の表面を所定電位に均一に帯電させる。レーザ走査ユニット５５は、帯電部５３の上方に設けられ、原稿読取部４で形成された画像データやネットワークにより接続される外部コンピュータ１００、相手方ＦＡＸ装置から送信された画像データに基づき、レーザ光５５ａをレーザ出力部（不図示）から出力し、感光体ドラム５２表面を走査露光して画像情報に応じた静電潜像を形成する。現像部５４は、感光体ドラム５２の右方に設けられ、感光体ドラム５２上の静電潜像にトナーを供給して現像する。感光体ドラム５２の下方に設けられる転写ローラ５６と感光体ドラム５２との間ではニップが形成され、このニップを通過する際、搬送されてきたシートに感光体ドラム５２上のトナー像が転写される。クリーニング部５７は、転写の終了後、感光体ドラム５２の表面に残留するトナーを清掃する。
【００３９】
定着部５８は、シートに転写されたトナー像を定着させる。本実施形態における定着部５８は、主として加熱ローラ５８ａと加圧ローラ５８ｂとで構成される。加熱ローラ５８ａと加圧ローラ５８ｂは圧接してニップを形成し、加熱ローラ５８ａには、発熱体が内蔵される。そして、トナー像の転写されたシートが、加熱ローラ５８ａと加圧ローラ５８ｂとのニップを通過することで、トナーが溶融・加熱され、トナー像がシートに定着する。
【００４０】
前記シート供給部６は、画像形成部５にシートを供給する。シート供給部６は、各サイズの用紙等のシートが収納されるカセット６１、各カセット６１からシートを１枚ずつシート搬送路７に送り出すピックアップローラ６２等を備える。例えば、使用者が、操作パネル８で使用するシート（用紙）のサイズを選択し、スタートキー８２を使用者が押すと、ピックアップローラ６２が回転駆動し、画像形成に必要となるシートが１枚ずつシート搬送路７に供給される。
【００４１】
前記シート搬送路７は、シート供給部６から供給されたシートを、画像形成ユニット５１、定着部５８を経て排出トレイ７１まで搬送する。シート搬送路７には、複数の搬送ローラ対７２及び搬送されてくるシートを画像形成部５の手前で待機させ、トナー像形成のタイミングを合わせてシートを送り出すレジストローラ７３が設けられる。
【００４２】
前記操作パネル８は、複合機１の正面上方に設けられ、テンキー８１、スタートキー８２等の入力、設定用の各種キーを備える（図４参照）。そして、操作パネル８は、装置の動作状態や各種メッセージを表示し、又、タッチパネルにより各種設定、モード選択等を行うことができる液晶表示部８３を備える。従って、使用者は、操作パネル８から複合機１の動作について操作・設定可能である。
【００４３】
具体的に、使用者は、印刷枚数の設定や、画像形成や画像スキャンの際の拡大・縮小処理、濃度変更処理、枠消し処理等、複合機１の有する機能を設定できる。又、本発明に関し、複合機１でＦＡＸ通信を行う場合、操作パネル８の左端に位置するＦＡＸ機能キー８４を押した後、例えば、相手方のＦＡＸ番号をテンキー８１から入力したり、液晶表示部８３で記憶された相手方を指定したり、送信する原稿の読取、解像度、用紙のサイズ等の設定等を行うことができる。又、例えば、他機種用のＦＡＸボード２が複合機１に接続されている場合、使用できない機能は、液晶表示部８３に表示されない、若しくは、タッチパネルで指定しても、何ら反応を示さないように本体制御部１５により制御される。
【００４４】
次に、図２に基づき、本発明の実施形態に係るオプション機器が接続された複合機１の構成について説明する。図２は、本発明の実施形態に係るオプション機器として、ＦＡＸボード２が接続された複合機１の構成を説明するためのブロック図である。
【００４５】
図２に示すように、本実施形態に係る複合機１は、複合機１内に適宜配される制御基板上に設けられる本体制御部１５を有する。この制御部は、複合機１全体の動作を制御し、例えば、メインＣＰＵ１０、ＲＡＭ１１、ＲＯＭ１２、ＨＤＤ１３、本体側インターフェイス部１４等から構成される。
【００４６】
前記メインＣＰＵ１０は、中央演算処理装置であって、ＲＯＭ１２、ＨＤＤ１３に格納され、ＲＡＭ１１に展開される制御プログラムに基づき複合機１の各部を制御する。前記ＲＯＭ１２は、複合機１の制御用プログラムや制御用データを格納し、メインＣＰＵ１０が制御用プログラム等を読み出す場合などに用いられる。ＲＡＭ１１は、制御用プログラムを一時的に展開する場合や、画像データを一時的に保存しておく場合などに用いられる。ＨＤＤ１３は、大容量の記憶装置であって、制御用プログラムや制御用データ、原稿読取部４で読み取った画像データや、ＦＡＸ通信（送受信）での画像データを保存する。
【００４７】
そして、各種制御プログラムをＲＯＭ１２等から読み出して、ＲＡＭ１１上に展開し制御プログラムを駆動させ、メインＣＰＵ１０が処理、演算することで、複合機１を構成する原稿読取部４、画像形成部５等の各部の動作が的確に制御される。
【００４８】
前記本体側インターフェイス部１４は、複合機１に接続されるオプション機器や、ネットワークにより接続されたＰＣ（ユーザ端末）等の外部コンピュータ１００とのデータの送受信を行うためなど、複合機と他の機器、装置とのデータの入出力を行うための部分である（接続される外部コンピュータ１００は複数台でもよい）。本実施形態では、本体側インターフェイス部１４の一部として、ＦＡＸボード２用のインターフェイスも設けられており、このインターフェイスにＦＡＸボード２を差し込むと、ＦＡＸボード２と複合機１が接続され、データの送受信が可能となる。
【００４９】
前記ＦＡＸボード２には、ＦＡＸＣＰＵ２０、ＲＡＭ２１、ＲＯＭ２２（オプション記憶部に相当）、フラッシュメモリ２３（オプション記憶部に相当）、画像メモリ２４、符号化部２５、復号化部２６、モデム２７、網制御部２８、ＩＣチップ２９（機種情報制御部に相当）等が設けられ、これらの構成は、データのやり取りを可能とするため、信号線により接続される。尚、ＦＡＸボード２には、本体側インターフェイス部１４に対応するボード側インターフェイス部２ｂが設けられ、接続により、ＦＡＸボード２は、複合機１（本体制御部１５）とデータのやり取りが可能となる。
【００５０】
前記ＦＡＸＣＰＵ２０は、中央演算処理装置であり、ＲＯＭ２２やフラッシュメモリ２３に格納され、ＲＡＭ２１に展開される制御プログラムに基づきＦＡＸボード２の各部の動作を制御する。ＲＯＭ２２やフラッシュメモリ２３は、ＦＡＸボード２の制御用プログラムや各種データ等を記憶し、ＦＡＸＣＰＵ２０が制御用プログラム等を読み出す場合などに用いられる。ＲＡＭ２１は、制御プログラムを一時的に展開する場合や、画像データを一時的に保存しておく場合などに用いられる。そして、例えば、ＦＡＸＣＰＵ２０、ＲＡＭ２１、ＲＯＭ２２、フラッシュメモリ２３等で、ＦＡＸボード２を制御するためのＦＡＸボード制御部２ａ（オプション制御部に相当）を構成することができる。このＦＡＸボード制御部２ａにより、ＦＡＸボード２の動作が制御され、各機能が実現される。
【００５１】
このＦＡＸボード制御部２ａは、本体制御部１５とのデータのやりとりが可能である。例えば、ＦＡＸ送信を行うデータを本体制御部１５からＦＡＸボード制御部２ａが受け取り、ＦＡＸ送信を行う。一方、ＦＡＸ受信した画像データをＦＡＸボード制御部２ａから本体制御部１５に送信し、その画像データを受けて、本体制御部１５はその画像データに基づき、印刷出力の制御を行う。
【００５２】
そして、ＲＯＭ２２やフラッシュメモリ２３には、オプション機器としてのＦＡＸボード２が実現する各機能を実現するためのプログラムが複数格納される。例えば、指定時間にＦＡＸ送信を行うタイマー送信機能や、送信相手方を指定する親展機能や、メモリ転送機能や、Ｆネット回線対応機能や、受信データの印刷出力において両面印刷を行う機能（両面受信機能）や、２枚の画像データを１枚の画像データに落とし込む機能（２ｉｎ１受信機能）や、複合機１とネットワークを構成するＰＣから送信されたデータをＦＡＸ送信するネットワークＦＡＸ機能、公衆回線を２本装着して２回線に対応できるマルチポート機能など、その他多数のＦＡＸ通信における機能を実現するため、ＦＡＸボード２を制御するための制御プログラムが複数格納される。
【００５３】
前記画像メモリ２４は、原稿読取部４で読み取られた画像データや、外部コンピュータ１００から送信されたＦＡＸ送信を行う画像データを一時的に保存する。又、受信した相手方ＦＡＸ装置からの画像データを一時的に保存する。
【００５４】
前記符号化部２５は、送信する画像データを規格上（例えばＧ３規格）定められる方式で、データの圧縮を行う部分である。一方、復号化部２６は、相手方ＦＡＸ装置から受信した画像データは、送信時の符号化によりデータが圧縮されているので、その復号化を行う部分である。
【００５５】
前記モデム２７は、ＦＡＸ送信する場合、符号化部２５により符号化された画像データの変調を行い、相手方ＦＡＸ装置から受信した画像データの復調も行う部分でもある。即ち、モデム２７は、画像データを公衆回線（電話回線）により送信するための信号への変換、逆変換を行う。網制御部２８は、交換機に対し回線の接続、相手側のＦＡＸ番号の通知、切断、通信先等の変更等の処理を行う部分であり、公衆回線に実際に接続される。
【００５６】
前記ＩＣチップ２９（機種情報制御部に相当）は、いわゆるワンチップマイコン（ひとつのＩＣチップ２９内にＣＰＵからＲＡＭ、ＲＯＭ、各種入出力装置などを搭載した処理装置）であって、本体制御部１５及びＦＡＸボード制御部２ａと通信可能である。そして、ＩＣチップ２９内のメモリには、ＦＡＸボード２の接続対象となる複合機１の機種、及び、ＦＡＸボード２が実現する機能の情報を含む機種情報が記憶される。
【００５７】
この機種情報は、ＦＡＸボード２が対応する複合機１の機種をコードで表した機種コードや、例えば、マルチポート機能や２ｉｎ１受信機能等、ＦＡＸボード２が実現する機能をコードで表した機能コードで表現可能である。従って、例えば、高価格の上位機種用のＦＡＸボード２と低価格の下位機種用のＦＡＸボード２では、接続が予定される複合機１の機種は異なり、又、ＦＡＸボード２で実現される機能には差があるから、機種情報は、各ＦＡＸボード２のタイプにより異なる。
【００５８】
尚、機種情報には、ＦＡＸボード２でファクシミリ通信可能な国又は地域を示す情報、及び、各国又は各地域での行うべきＦＡＸボード２の設定情報からなる地域設定情報が含まれ、ＩＣチップ２９はこの地域設定情報を機種情報の１つとして記憶する。
【００５９】
次に、図３及び４に基づき、メインＣＰＵ１０、ＦＡＸＣＰＵ２０、ＩＣチップ２９間のデータの通信及び処理について説明する。図３は、本発明の実施形態に係るメインＣＰＵ１０、ＦＡＸＣＰＵ２０、ＩＣチップ２９間のデータのやり取りを説明するための説明図である。図４は、本発明の実施形態に係る操作パネル８の一例を示す正面図である。
【００６０】
図３に示すように、メインＣＰＵ１０とＦＡＸＣＰＵ２０は通信可能である。又、ＦＡＸＣＰＵ２０とＩＣチップ２９は、信号線で接続される（図２参照）。従って、ＩＣチップ２９とメインＣＰＵ１０は、ＦＡＸＣＰＵ２０を介してデータの送受信が可能である。尚、メインＣＰＵ１０とＩＣチップ２９間に専用の信号線を設けてもよい。
【００６１】
このような、接続のもと、メインＣＰＵ１０、ＦＡＸＣＰＵ２０、ＩＣチップ２９間のデータ通信について詳細に説明する。
【００６２】
まず、複合機１の電源が投入された場合、メインＣＰＵ１０は、各オプション機器が接続されているかどうかを確認するための信号を、各オプション機器に向けて送信する（図３中のＡ信号）。この信号は、本体側、ボード側インターフェイス部１４、２ｂを介し、複合機１に接続されるＦＡＸボード２に向けても送信され、ＩＣチップ２９は、ＦＡＸＣＰＵ２０を介し、この信号を受信する。そして、ＦＡＸボード２が接続されていることを肯定する信号（ＡＣＫ信号）を、ＩＣチップ２９は、メインＣＰＵ１０に向けて、ＦＡＸＣＰＵ２０を介し送信する（図３中のＢ信号）。
【００６３】
従来は、基本的にメインＣＰＵ１０に対し、ＦＡＸＣＰＵ２０がＡＣＫ信号を返信していたが、本実施形態では、ＩＣチップ２９がその役割を果たす。従って、本実施形態に係るＦＡＸボード２では、ＩＣチップ２９が存在しなければ、ＦＡＸボード２の接続が認識されない。
【００６４】
メインＣＰＵ１０は、このＡＣＫ信号の返信を受け、次にＩＣチップ２９に向けて、データ要求信号を発信する（図３中のＣ信号）。このデータ要求信号は、ＦＡＸＣＰＵ２０を介しＩＣチップ２９に到達する。このデータ要求信号を受け、ＩＣチップ２９は、メインＣＰＵ１０に向け、自己が保持する上記した機種情報を送信する（図３中のＤ信号）。
【００６５】
このＩＣチップ２９からの機種情報を受けて、メインＣＰＵ１０は、複合機１で使用できる機能の設定を行う。具体的には、まず、受信した機種情報（機種コード）に基づき、接続されたＦＡＸボード２が複合機１の接続対象か否かを判断する。言い換えると、ＦＡＸボード２が他機種用のものかどうかを認識する。
【００６６】
使用する複合機１用のＦＡＸボード２であるならば、更に、機種情報に含まれるＦＡＸボード２が実現する機能情報（機能コード）を読み取って、複合機１で使用できる機能の設定を行う。例えば、使用する複合機１に対応するＦＡＸボード２が複数種ある場合、それぞれにおいて、各ＦＡＸボード２で実現する機能が若干異なる場合や、反対に、ＦＡＸボード２側で実現可能であっても複合機１側が対応していない場合も考えられ、複合機１側が対応可能かつＦＡＸボード２が実現可能な機能を使用できるようにメインＣＰＵ１０は、複合機１の設定を自動的に行う。
【００６７】
その設定の結果は、例えば、操作パネル８の液晶表示部８３に、ＦＡＸにおいて使用可能な機能が表示され、設定入力が可能とされるというように反映される。又、複合機１とネットワーク接続される外部コンピュータ１００（ユーザ端末）上のＦＡＸに関するソフトウェア（管理ソフト、ドライバソフト等）からの設定入力を受け付けるというように反映される。
【００６８】
一方、認識の結果、使用する複合機１用のＦＡＸボード２でない場合、言い換えると、他機種用のＦＡＸボード２である場合、メインＣＰＵ１０は、ＦＡＸボード２の機能を制限する設定を行う。
【００６９】
特に、ＦＡＸボード２は、本体側及びボード側のインターフェイス部２ｂ、１４が、一般に、規格等により共通している等の理由により、他機種用のＦＡＸボード２が接続されやすい。又、ＦＡＸボード２のハード面における構成をほぼ共通化し（メモリ容量に差があるなどの相違はある）、ＦＡＸボードに記憶されるプログラムの内容（即ち、機能を実現するための制御プログラムの数や種類）によって、価格設定を行う場合もある。
【００７０】
このような事情により、例えば、以前の機種で使用していたＦＡＸボード２を接続することや、使用者が誤って他機種用のＦＡＸボード２を購入しても、気づかずにそのまま接続できてしまうことがある。そして、ＦＡＸの通信規格はある程度定まっていることもあり、他機種用のＦＡＸボード２でも動作してしまうことがある。例えば、下位機種用のＦＡＸボード２が上位機種で動作する場合や、その反対の場合もある。
【００７１】
更に、ＦＡＸボード２でのハードウェア構成の共通性は、複合機１の下位機種用のＦＡＸボード２（一般に低価格）のＲＯＭやフラッシュメモリを、複合機１の上位機種用のＦＡＸボード２（一般に高価格）の制御プログラム等に書き換えて、下位機種用のＦＡＸボード２を上位機種で使用できるようにするという悪質な改変の一因となっている。
【００７２】
しかし、このような他機種用のＦＡＸボード２の接続や、更に、制御プログラムの改変を受けたＦＡＸボード２の接続は、本来、ＦＡＸボード２が有する機能が、的確に実現されない、若しくは、実現されても不正な方法であって、動作も不安定となり得る。
【００７３】
そこで、本実施形態では、接続対象でない他機種用のオプション機器（ＦＡＸボード２）が接続されていると判断された場合、例えば、最低限のＦＡＸ送受信機能のみだけ確保したり、ＦＡＸ機能を使用不可としたりして、使用できる機能を制限する。又、機能制限方法としては、機種情報により判断して、接続されているＦＡＸボード２が本来有する機能までは実現させてもよく、その制限の内容は、適宜設定可能である。
【００７４】
しかも、本実施形態では、機種情報は、ＩＣチップ２９から本体制御部１５に向けて送信され、機種情報がＦＡＸボード２のＲＯＭ２２やフラッシュメモリ２３に記憶されるものではないから、ＲＯＭ２２やフラッシュメモリ２３の書き換えや交換によっても、複合機１が他機種用のＦＡＸボード２であるか否かの判断は、正確に行われる。又、ＩＣチップ２９の付け替えを考慮した場合、本実施形態におけるＩＣチップ２９は、いわば専用品といえるものであって、一般に流通する汎用品では代用することができない。従って、従来よりも、プロテクト効果が高いと言える。
【００７５】
そして、他機種用のＦＡＸボード２が接続されたことをメインＣＰＵ１０が認識し、機能の制限を行った結果は、例えば、複合機１の操作、入力を行うための操作パネル８からのＦＡＸ送信に関する操作、入力を受け付けないかたちで反映される。例えば、ＦＡＸの送受信機能のみ認め、他の機能の使用を一切認めない制限を加えるならば、図４に示すように、操作パネル８の液晶表示部８３に、「他機種用のＦＡＸシステムが接続されています。」「ＦＡＸの送受信のみ行えます（機能制限中）。」のようなメッセージを表示させることができる。又、複合機１と接続されるＰＣ上でも同様の表示がされてもよい。
【００７６】
そして、ＦＡＸボード２側でも、本体制御部１５、メインＣＰＵ１０から、制限した機能の設定情報を受け取り、設定情報に対応させて、オプション機器で使用される制御プログラムを選択する。例えば、ＦＡＸの送受信のみ行えるように制限した場合は、ＦＡＸの送受信機能のみを行えるようにＦＡＸＣＰＵ２０は設定を行う。
【００７７】
尚、ＩＣチップ２９から、メインＣＰＵ１０に向けて機種情報を送信する場合、ＦＡＸボード２のＲＯＭ２２やフラッシュメモリ２３に格納される各機能を実現させるためのプログラムと、機種情報内の機能コードとの照合の演算を行った上で、照合結果を機種情報とともに本体制御部１５に送信するようにしてもよい。この照合を行うことで、例えば、機種情報と照合しない機能は使用可能であっても使用しないといった制限や、あるいは、全ての機種情報と照合できたが、照合できない制御プログラムがその他多数記憶されている場合は、ＲＯＭ、フラッシュメモリの記憶内容の改変が行われたとして、ＦＡＸ機能を使用できなくする等、制限をかける際の参考とすることができる。
【００７８】
更に、ＩＣチップ２９は、本体制御部１５に向けて機種情報を送信する場合、機種情報に暗号化を施すようにしてもよい。これにより、悪意の者による機種情報の解析を困難にすることができる。
【００７９】
次に、図３に戻り、ＦＡＸの仕向地ごとの設定について説明する。
【００８０】
特に、ＦＡＸボード２においては、各仕向地（国、地域）によって、適切な設定を行う必要がある。これは、各仕向地で、規格や電話線に流れる信号の電力レベルや電圧の仕様が異なる点や、又、各仕向地での特有の公衆回線サービス（例えば、日本では、ＮＴＴによるＦネット）に対応できるようにするためである。
【００８１】
そこで、本実施形態では、例えば、操作パネル８から複合機１が使用される仕向地の設定を行うことができる。この仕向地（国又は地域）のうち実際に使用される国又は地域を示す使用地域情報は、本体制御部１５からＦＡＸボード制御部２ａに送信される（図３中のＥ信号）。
【００８２】
この使用地域情報を受けた場合、ＦＡＸボード制御部２ａは、ＦＡＸボード２によってファクシミリ通信可能な国又は地域を示す情報、及び、各国又は各地域でのＦＡＸボード２の設定情報を含む地域設定情報をＩＣチップ２９から受け取る（図３中のＦ信号）。
【００８３】
ここで、地域設定情報にファクシミリ通信可能な国又は地域を示す情報が含まれるのは、例えば、ＦＡＸボード２が北米仕様、欧州仕様というように、ある程度仕向地が限定されて、製造、出荷される場合もあり得るからである。そして、機種情報に各国又は各地域でのＦＡＸボード２の設定情報が含まれるのは、その情報に基づき、ＦＡＸボード２の機能設定を自動的に行うためである。
【００８４】
このように、自動的にＦＡＸボード２の設定を、ＩＣチップ２９からの地域設定情報に基づき自動的に行うことで、使用者等は、各仕向地に対応させる複雑なＦＡＸボード２の設定をしなくてよくなる。即ち、使用者の利便性が向上する。
【００８５】
尚、各仕向地での自動設定は、接続されたＦＡＸボード２が他機種用でも、例えば、最低限、ＦＡＸの送受信のみは、複合機１の使用国、使用地域で行えるように設定することも可能ではある（他機種用のＦＡＸボード２のＩＣチップ２９に地域設定情報が記憶されている、若しくは、ＨＤＤ１３等の本体側に別途地域設定情報を記憶しておく。）。
【００８６】
しかし、機種情報を本体制御部１５が確認した結果、接続対象でないＦＡＸボード２が接続されていると判断した場合、本体制御部１５及びオプション制御部は、ＦＡＸ通信機能を使用不可とするようにしてもよい。
【００８７】
尚、「接続対象でない」とは、他機種用のＦＡＸボード２が接続されただけではなく、仕向地が異なるＦＡＸボード２も含むようにとしてもよい。例えば、日本仕様のＦＡＸボード２を、北米やアフリカ等、他の地域、国で使用しようとしても、規格等に一部適合することができない場合もある。この場合、たとえ、ＦＡＸ通信を行えたとしても、規格上適合しないものとなり、最悪の場合は、ＦＡＸボード２や複合機１に故障、破壊が生じてしまうことも考えられる。そこで、本実施形態では、ＦＡＸボード制御部２ａは、ＦＡＸ通信機能を使用不可とすることもできる。
【００８８】
このようにして、本実施形態の構成によれば、オプション機器（例えば、ＦＡＸボード２）は、オプション機器が対応する画像形成装置（複合機１）の機種や実現する機能の情報である機種情報を記憶し、本体側制御部と通信を行う機種情報制御部（ＩＣチップ２９）を有するから、機種情報制御部から画像形成装置の本体に向けて機種情報を送信することで、接続されたオプション機器が、その画像形成装置用のオプション機器であるかを容易に認識することができる。又、機種情報にはオプション機器の実現する機能情報も含まれているから、機種情報に基づき、画像形成装置で使用できる機能の設定を画像形成装置が自動で行うことができる。更に、オプション機器を制御するための制御プログラムとは別に、機種情報が記憶されるから、オプション記憶部の書換、交換等によって他機種用のオプション機器を画像形成装置に使用可能とする行為を防ぐことができる。即ち、プロテクトをかけることができる。
【００８９】
又、画像形成装置に接続されたオプション機器が、他機種用のものと判断される場合、使用できる機能を制限するから、例えば、必要最低限の機能のみを使用可能とする制限をかけることが可能となる。具体的には、下位機種用の低価格のオプション機器に改変を加え、上位機種用のオプション機器として使用する行為がなされたとしても、上位機種用のオプション機器でのみ実現される機能の利用を防ぐことができる。又、他機種用のオプション機器を誤って購入した使用者が、そのオプション機器を画像形成装置に接続しても制限付きではあるが、とりあえずオプション機器の機能を利用可能とすることができる。
【００９０】
又、オプション機器からの機種情報に基づき、オプション機器の機能設定を自動的に行った結果、利用できない機能に対して操作・入力を行えないようにすることができる。又、機種情報に基づき、本体制御部１５での機能自動設定の結果をオプション機器側に反映させることができる。即ち、オプション機器側での設定も自動的に行うことができる。
【００９１】
又、オプション記憶部（ＲＯＭ２２、フラッシュメモリ２３等）に記憶されるプログラムと機種情報の照合を行うので、機種情報の正確性を確認することができる。又、制御プログラムが記憶されるオプション記憶部に改変があったことも認識することができる。例えば、オプション記憶部に改変があった場合、オプション機器により実現される機能を全く使用できないという制限もかけることができる。
【００９２】
又、機種情報に暗号化を施して、機種情報の送信を行うから、オプション機器に対する改変のための機種情報の解析を困難なものとすることができる。又、オプション機器のうち、ＦＡＸボード２は、特に、各機種で基本的なハードウェア構成が共通し、装置本体の基板への差込部分も規格上統一されている等の理由により、他のオプション機器よりも他機種用のＦＡＸボード２が画像形成装置に比較的接続し易いが、この他機種用のＦＡＸボード２の接続に対し、制限をかけることができる。
【００９３】
又、ＦＡＸボード２では、仕向地において、電話線に流れる信号の電力レベルや電圧の仕様など、ファクシミリ通信における各国での規格の違いに対応して、様々な設定を行う必要があるが、機種情報制御部からの情報により、ＦＡＸボード２の設定を自動的に行うことができる。又、場合により、不適合なＦＡＸボード２では、各国の規格上に沿った通信を行えない場合があり、このような場合、使用不可とすることができる。
【００９４】
又、オプション機器として、本発明を捉えれば、オプション機器は、オプション機器の接続の対象となる画像形成装置や、オプション機器で実現される機能に関する機種情報を本体側制御部に向けて送信可能であり、自動的にオプション機器や画像形成装置の設定や機能制限を行えるオプション機器を提供することができる。又、オプション機器のメモリ等に対する不正な改変にも強く、不正なオプション機器の使用を防止可能なオプション機器を提供することができる。
【００９５】
以下、別実施形態について説明する。上述の実施形態では、オプション機器を装着した複合機１について示したが、複写機、プリンタ、ファクシミリ装置等のオプション機器が用意される画像形成装置に適用することができる。尚、カラーの画像形成装置でも、本発明は適用できる。
【００９６】
又、上述の実施形態では、オプション機器として、主に、ＦＡＸボード２を例に挙げ説明したが、使用対象機種が定められ、制御部を有し、本体制御部１５と通信を行うオプション機器であれば、本発明を適用することができる。例えば、オプション機器としては、後処理装置（フィニッシャ）、大容量給紙デッキ、マルチトレイ、ペーパーフィーダ、両面ユニット、ネットワークボード、セキュリティキット等に適用可能である。
【００９７】
又、本発明の実施形態を説明したが、本発明の範囲はこれに限定されるものではなく、発明の主旨を逸脱しない範囲で種々の変更を加えて実施することができる。
【産業上の利用可能性】
【００９８】
本発明は、複写機、複合機、プリンタ、ファクシミリ装置等の画像形成装置等及びこれに使用するオプション機器に利用可能である。
【図面の簡単な説明】
【００９９】
【図１】本発明の実施形態に係る複合機の概略構造を示す模型的正面断面図である。
【図２】本発明の実施形態に係るオプション機器として、ＦＡＸボードが接続された複合機の構成を説明するためのブロック図である。
【図３】本発明の実施形態に係るメインＣＰＵ、ＦＡＸＣＰＵ、ＩＣチップ間のデータのやり取りを説明するための説明図である。
【図４】本発明の実施形態に係る操作パネルの一例を示す正面図である。
【符号の説明】
【０１００】
１    複合機（画像形成装置）          ２０  ＦＡＸＣＰＵ（オプション制御部）
１０  メインＣＰＵ（本体制御部）      ２２  ＲＯＭ（オプション記憶部）
１５  本体制御部                      ２３  フラッシュメモリ（オプション記憶部）
２    ＦＡＸボード                    ２９  ＩＣチップ（機種情報制御部）
２ａ  ＦＡＸボード制御部（オプション制御部）  ８    操作パネル（操作入力部）
【図１】
2009088763.tif 000003
【図２】
2009088763.tif 000004
【図３】
2009088763.tif 000005
【図４】
2009088763.tif 000006